(57)【要約】【課題】デザイン自由度の高い着色領域をコンタクトレンズ上に安定して表示することにより、従来の着色領域では得ることのできない斬新なコスメティック効果を得ることができる、新規な構造の色付コンタクトレンズを提供すること。【解決手段】装用される眼球１２の瞳孔上に位置する中央領域を外れた外周部分に着色領域３４を設け、着色領域３４の形状を非回転対称とする一方、装用状態におけるレンズ幾何中心２０周りのレンズ周方向位置を位置決めする位置決め手段を設けた。【選択図】図１
2013140315.tif 000002
【特許請求の範囲】
【請求項１】
装用される眼球の瞳孔上に位置する中央領域を外れた外周部分に着色領域を有する色付コンタクトレンズにおいて、
前記着色領域の形状が非回転対称とされている一方、装用状態におけるレンズ幾何中心周りのレンズ周方向位置を位置決めする位置決め手段が設けられていることを、特徴とする色付コンタクトレンズ。
【請求項２】
レンズ中央部分に設けられた光学部と該光学部を囲む周縁部が設けられており、前記位置決め手段が、前記レンズ幾何中心を通って装用状態で左右方向に延びる水平径方向線を挟んだ両側において前記周縁部が薄肉化された一対のスラブオフ領域を設けることにより構成されている請求項１に記載の色付コンタクトレンズ。
【請求項３】
レンズ中央部分に設けられた光学部と該光学部を囲む周縁部が設けられており、前記位置決め手段が、前記レンズ幾何中心を通って装用状態で左右方向に延びる水平径方向線を挟んだ一方の側よりも他方の側の周辺部を厚肉にしたプリズムバラスト構造により構成されている請求項１に記載の色付コンタクトレンズ。
【発明の詳細な説明】
【技術分野】
【０００１】
本発明は、色付コンタクトレンズに係り、特に特定部分に対して着色領域を設けることにより装用者の眼球に対してコスメティック（美容）効果を与える色付コンタクトレンズに関する。
【背景技術】
【０００２】
従来から、眼の角膜に重ね合されて装用されるコンタクトレンズの一種として、色付コンタクトレンズが、幾つか提案されている。例えば、特開昭６０−２３５１１５号公報（特許文献１）には、角膜を通じて虹彩の色が見える虹彩領域に重ね合される着色領域である虹彩着色部を有することで、所謂黒目の部分を本来と異なる色に見えるようにするものが提案されている。
【０００３】
また、特表２００８−５１１０２５号公報（特許文献２）には、角膜と強膜の境界線（リンバル）を跨いで内周側と外周側に広がって重ね合される着色領域である環状着色帯を設けて、強膜の部分までも着色した色付コンタクトレンズが提案されている。この色付コンタクトレンズは、角膜の外径を大きく且つ外縁をはっきりと強調して明確にさせることで、眼ひいては顔全体の表情を可愛くみせたり明るくみせたりすることが出来るものとされており、既に市場に提供されている。また、上記以外においてもレンズに文字や数字、記号あるいは奇抜な模様を設けた個性的なコンタクトレンズが市場に提供されている。
【０００４】
ところが、このような特許文献１や特許文献２に記載の色付コンタクトレンズでは、虹彩部分やリンバル部分に着色を施すことにより、確かにコスメティック（美容）効果は得られるものの、それらの着色パターンはいずれも虹彩部分やリンバル部分の形状に沿うような回転対称形状とされており、着色領域の形状や表現方法のバリエーションには実質的に制限されているのが実情であった。通常、コンタクトレンズは、眼球上で回転することから、着色により視野が遮られることを防ぎ、視野を確保するためにこのような制限が生じる。特に、レンズに文字や数字あるいは奇抜な模様を設けた個性的なコンタクトレンズに至っては個性的な表現を重視するあまりに、レンズの回転により視野を確保ができないことがある。さらに、これらの個性的なコンタクトレンズは数字、文字、記号等の模様が第３者から認知できることも一つの特徴ではあるが、レンズが眼球上で回転することで、これら模様が反転したり、本来の向きとずれた方向にある場合において、これらの模様の意味が認識できなくことがあり、これら個性的なコンタクトレンズの目的である第３者に模様の意味を認識させることができなくなることがあった。
【先行技術文献】
【特許文献】
【０００５】
【特許文献１】特開昭６０−２３５１１５号公報
【特許文献２】特表２００８−５１１０２５号公報
【発明の概要】
【発明が解決しようとする課題】
【０００６】
本発明は、上述の事情を背景に為されたものであって、その解決課題は、デザイン自由度の高い着色領域をコンタクトレンズ上に安定して表示することにより、従来の着色領域では得ることのできない斬新なコスメティック効果を得ることができる、新規な構造の色付コンタクトレンズを提供することにある。
【課題を解決するための手段】
【０００７】
以下、前述の如き課題を解決するために為された本発明の態様を記載する。なお、以下に記載の各態様において採用される構成要素は、可能な限り任意の組み合わせで採用可能である。
【０００８】
本発明の第１の態様は、装用される眼球の瞳孔上に位置する中央領域を外れた外周部分に着色領域を有する色付コンタクトレンズにおいて、前記着色領域の形状が非回転対称とされている一方、装用状態におけるレンズ幾何中心周りのレンズ周方向位置を位置決めする位置決め手段が設けられていることを、特徴とする。
【０００９】
本態様に従う構造とされた色付コンタクトレンズによれば、位置決め手段が設けられており、装用状態におけるコンタクトレンズの、レンズ幾何中心周りのレンズ周方向位置が位置決めされるようになっている。これにより、装用状態でのコンタクトレンズの回転が防止されることから、着色領域の形状を非回転対称としても、所望の方向に向けた着色領域をコンタクトレンズ上に表示することができる。従って、装用時の色付コンタクトレンズが回転して、非回転対称形状の着色領域の向きが所望の向きからずれることによって、所望の形状として認識出来ない、或いは所望の装飾として機能させることが出来ないといった問題の発生を未然に防止することができる。それ故、着色領域の形状を非回転対称形状とすることが可能となり、回転対称形状に制限されていた従来の色付コンタクトレンズに比して、着色領域のデザイン自由度が飛躍的に向上されると共に、従来の回転対称形状の着色領域では得られない斬新なコスメティック効果を得ることができるのである。
【００１０】
本発明の第二の態様は、前記第一の態様に記載の色付コンタクトレンズにおいて、レンズ中央部分に設けられた光学部と該光学部を囲む周縁部が設けられており、前記位置決め手段が、前記レンズ幾何中心を通って装用状態で左右方向に延びる水平径方向線を挟んだ両側において前記周縁部が薄肉化された一対のスラブオフ領域を設けることにより構成されているものである。
【００１１】
本態様によれば、位置決め手段を従来から公知のダブルスラブオフ構造により簡単に構成することができる。これにより、本態様の色付コンタクトレンズを、着色領域の形状が所望の向きで眼球状に表示されるように装着するだけで、装用時の着色領域の向きを、当該所望の向きに安定させることができ、明確なパターンとして認識させたり、或いは所望の装飾機能を発揮させることが出来る。
【００１２】
本発明の第三態様は、前記第一の態様に記載の色付コンタクトレンズにおいて、レンズ中央部分に設けられた光学部と該光学部を囲む周縁部が設けられており、前記位置決め手段が、前記レンズ幾何中心を通って装用状態で左右方向に延びる水平径方向線を挟んだ一方の側よりも他方の側の周辺部を厚肉にしたプリズムバラスト構造により構成されているものである。
【００１３】
本態様によれば、位置決め手段を従来から公知のプリズムバラスト構造により簡単に構成することができる。また、重力作用を利用してコンタクトレンズの周方向での位置決めを安定し実現することが可能となることから、本態様の色付コンタクトレンズを、着色領域の形状が所望の向きで眼球状で表示されるように装着しなくても、装用時の着色領域の向きを当該所定向きに安定させることができ、所望のパターン表示や装飾機能を安定して発揮させることが出来る。
【発明の効果】
【００１４】
本態様に従う構造とされた色付コンタクトレンズは、装用状態におけるコンタクトレンズのレンズ幾何中心周りのレンズ周方向位置が安定して位置決めされる位置決め手段が設けられている。これにより、着色領域の形状を非回転対称形状としても、当該着色領域が眼球上で所望の向きとなるように装着するだけで、装用時の着色領域の向きを、所定の向きに安定させることができた。その結果、従来にない非回転対称形状の着色領域を所望の向きで安定して装用状態のコンタクトレンズ上に表示することができ、従来にない斬新なコスメティック効果を安定して得ることができる。
【図面の簡単な説明】
【００１５】
【図１】本発明の第一の実施形態である色付コンタクトレンズの装用状態を示す正面図。
【図２】本発明の第一の実施形態の変形例である色付コンタクトレンズの装用状態を示す正面図。
【図３】本発明の第二の実施形態である色付コンタクトレンズの装用状態を示す正面図。
【図４】本発明の第二の実施形態の変形例である色付コンタクトレンズの装用状態を示す正面図。
【図５】本発明の第三の実施形態である色付コンタクトレンズの装用状態を示す正面図。
【図６】本発明の第三の実施形態の変形例である色付コンタクトレンズの装用状態を示す正面図。
【発明を実施するための形態】
【００１６】
以下、本発明の実施形態について、図面を参照しつつ説明する。
【００１７】
図１には、本発明の第一の実施形態としての色付コンタクトレンズ１０の装用状態を示す正面図が示されている。この色付コンタクトレンズ１０は、従来公知のコンタクトレンズに従った形状を有しており、眼球１２の角膜１４の表面に重ね合わされて装用されるように、球状凸面形状とされた前面１６と球状凹面形状とされた後面（図示せず）とを有する部分的な球殻形状をもって形成されている。
【００１８】
色付コンタクトレンズ１０の材質は限定されるものでなく、ＲＧＰレンズ（酸素透過性レンズ）やＰＭＭＡ（ポリメチルメタアクリレート）等のハードレンズの他、ＰＨＥＭＡ（ポリヒドロキシエチルメタクリレート）等の含水性やアクリル系エラストマー等の非含水性或いはシリコーンハイドロゲル等の高酸素透過性の如きソフトコンタクトレンズが、何れも採用され得る。特に、ソフトコンタクトレンズは、ハードコンタクトレンズに比して、一般に大径で後述する強膜３０の部分も充分に覆い、且つ装用時の角膜１４上での移動量も小さいことから、本発明において好適に採用され得る。
【００１９】
より詳細には、色付コンタクトレンズ１０は、角膜１４に重ね合わされるレンズ中央部分に対して特定の光学特性を持たせた光学部１８を有し、近視や遠視、老視等の視力異常に対する矯正機能を与え得るようになっている。なお、本発明は光学部１８に矯正機能を与えた視力補正用コンタクトレンズの他、光学部１８が特定の光学特性を持たない非視力補正用コンタクトレンズにも適用可能であることはもちろんである。非視力補正用コンタクトレンズとして提供される場合には、専らコスメティックレンズ（美容又はおしゃれ用のコンタクトレンズ）として提供される。
【００２０】
図１に示す正面視において、色付コンタクトレンズ１０の光学部１８は、レンズ幾何中心２０上に広がる円形状で形成されている。また、レンズ外周部分には、光学部１８の周りを囲むようにして非光学領域としての周縁部２４が、所定幅の円環帯形状をもってレンズ幾何中心２０上に形成されている。更にまた、レンズ外周縁部には、色付コンタクトレンズ１０の前後両面を滑らかに繋ぐエッジ部２６が全周に亘って円環形状で形成されている。ここにおいて、光学部１８は、その光学部幾何中心２８がレンズ幾何中心２０と一致せしめられている。
【００２１】
そして、色付コンタクトレンズ１０は、その外径寸法が、眼球１２の黒目部分である角膜１４を全体に覆い、且つ白目部分である強膜３０の部分まで所定幅で覆い得るようになっている。即ち、角膜１４と強膜３０の境界線（リンバル）３２が、色付コンタクトレンズ１０の外周縁であるエッジ部２６よりも内周側に位置するようになっている。
【００２２】
さらに、色付コンタクトレンズ１０は、装用される眼球１２において、角膜１４と強膜３０の境界線３２を跨いで内周側と外周側に広がって重ね合わされる着色領域３４を有している。着色領域３４は、内周縁部３６が横楕円形状且つ外周縁部３８が円形状とされており、中心位置が、レンズ幾何中心２０とされている。すなわち、着色領域３４の形状は、非回転対称とされている。
【００２３】
着色領域３４は、装用者の角膜１４と強膜３０の両方に跨ってそれらの境界線３２上を全周に亘って延びており、角膜１４の外径を大きく且つ外縁をはっきりと強調する意図も含んでいることから、色調としては明度が低く、全体に亘って着色が行われている。着色領域３４の内径は、装用者の視野の妨げにならないよう、瞳孔４０に重ね合される色付コンタクトレンズ１０の中央領域から大きく離隔されており、角膜１４の外縁から僅かに内側に入り込む程度の大きさとされている。着色領域３４の外径は、角膜１４の外径よりも僅かに大きくされている。
【００２４】
具体的には、着色領域３４の短軸寸法は５ｍｍ以上、また夜間の瞳孔径の広がりを考慮すると、８ｍｍ以上であることが望ましい。また、着色領域３４の幅寸法は、レンズ幾何中心２０を通って装用状態で左右方向に延びる水平径方向線４２を挟んだ両側に位置する上下側が大きく、左右側が小さくされている。また、着色領域３４の濃度分布については、特に限定するものではない。すなわち、着色領域３４の濃度は一様でもよいし、あるいは径方向で変化していてもよく、目的とするコスメティック効果により任意に変更され得る。
【００２５】
このような着色領域３４の形成方法は特に限定されるものでなく、従来から公知の任意の方法で形成し得る。例えば特開平３−５４５１９号公報等に記載されているようにコンタクトレンズの成形モノマーを注型してコンタクトレンズを成形する際に着色したり、成形されたコンタクトレンズに対して手描きや写真印刷、スクリーン印刷等によって形成することも可能である。なお、着色領域３４を形成するコンタクトレンズの表面である被着面が球面状であることや、量産性、着色精度、色の再現性等を考慮すると、パッド印刷又はインクジェット印刷が有利に採用され得る。
【００２６】
さらに、色付コンタクトレンズ１０の周縁部２４には、レンズ幾何中心２０を通って水平径方向線４２に直交して延びる直交経線４４方向で、光学部１８を挟んだ両側に、例えば、特開２００９−１６９１０４号公報に記載されているような従来から公知のスラブオフ領域４６，４６が設けられている。スラブオフ領域４６，４６は、水平径方向線４２を挟んだ両側において周縁部２４が薄肉とされており、両スラブオフ領域４６，４６によって、周方向位置決め手段としてのダブルスラブオフ構造が構成されている。両スラブオフ領域４６，４６を与える薄肉面は、レンズ後面（図示せず）に設定されており、装用状態において色付コンタクトレンズ１０が角膜表面に沿うように変形することによって、レンズ後面に設定された薄肉形状がレンズ前面１６に現れるようにされている。これら両スラブオフ領域４６，４６は、直交経線４４に関して線対称形状とされると共に、水平径方向線４２に関して線対称形状とされている。
【００２７】
このような構造とされた色付コンタクトレンズ１０は、眼球１２への装用状態において、スラブオフ領域４６，４６と眼瞼との相互作用によって、水平径方向線４２が装用される眼球１２の左右方向に延びる位置で安定するように、色付コンタクトレンズ１０の装用中における回転防止が有効に為され得るようになっているのである。すなわち、色付コンタクトレンズ１０は、図１に示す正規位置と、それを１８０°回転した反転位置、の２つの安定状態を有することになる。本実施形態の色付コンタクトレンズ１０においては、着色領域３４の形状は図１に示すように正規位置と１８０°回転した反転位置で同じであることから、どちらの安定状態となっても着色領域３４の向きが装用者の眼球１２上で所望の向きからずれしてしまう不具合を低減乃至は回避して、所望の向きで着色領域３４を位置決めして安定させることが出来る。それ故、装用時の色付コンタクトレンズ１０、すなわち着色領域３４が回転して、所望の方向で着色領域３４のデザインを表示出来ず、観察者に所望のコスメティック効果を与えられない不具合が未然に防止される。それ故、従来にない非回転対称形状の着色領域３４が採用可能となり、着色領域３４のデザイン自由度や、それにより与えられるコスメティック効果の多様化が図られ得るのである。
【００２８】
次に、図２〜図６に示す色付コンタクトレンズの装用状態を示す正面図を用いて、前記実施形態の変形例と本発明の第二〜第三の実施形態およびその変形例としての色付コンタクトレンズ４８，５４，６２，６６，６８について説明する。なお、以下の説明において、前述の第一の実施形態と同様の構造とされた部材および部位については、図中に第一の実施形態と同一の符号を付することにより、その詳細な説明を省略する。
【００２９】
図２に示すように、本発明の第一の実施形態の変形例としての色付コンタクトレンズ４８は、第一の実施形態における色付コンタクトレンズ１０の着色領域３４の形状が異ならされたものである。具体的には、着色領域３４の外周縁部３８が横楕円形状とされており、また着色領域３４の内周縁部３６が縦楕円形状とされていると共に内周縁部３６の長軸寸法が外周縁部３８の短軸寸法よりも大きくされているものである。なお、着色領域３４の内周縁部３６と外周縁部３８の中心は、レンズ幾何中心２０と一致している。これにより、着色領域３４は２つの領域３４，３４に分割されると共に線状の着色部５０，５２を有する形状とされ、着色領域３４の形状は、非回転対称とされている。
【００３０】
本実施形態における着色領域３４は、装用者の角膜１４の左右両側において、強膜３０まで広がる形成されており、略半円形状で、互いの弦を対向させた状態で配置されている。これにより、角膜１４が横方向に大きく強調されるコスメティック（美容）効果を与える。また本実施形態においても、眼球１２への装用状態において、周方向位置決め手段としてのスラブオフ領域４６，４６と眼瞼との相互作用によって、水平径方向線４２が装用される眼球１２の左右方向に延びる位置で安定するように、色付コンタクトレンズ４８の装用中における周方向位置が位置決めされて回転防止が有効に為され得るようになっている。色付コンタクトレンズ４８は、正規位置と１８０°回転した反転位置、の２つの安定状態を有することになる。本実施形態の色付コンタクトレンズ４８においても、着色領域３４の形状は図２に示すように正規位置と１８０°回転した反転位置で同じであることから、どちらの安定状態となっても着色領域３４が装用者の角膜１４上で所望の向きからずれしてしまう不具合を低減乃至は回避して、所望の向きに位置決めして安定させることが出来る。それ故、所望の方向で着色領域３４のデザインを表示出来ず、観察者に所望のコスメティック効果を与えられない不具合が未然に防止される。
【００３１】
図３に、本発明の第二の実施形態の色付コンタクトレンズ５４を示す。この色付コンタクトレンズ５４は、第一の実施形態における色付コンタクトレンズ１０の着色領域３４の形状が異ならされたものである。具体的には、着色領域３４の内周縁部３６が円形状とされており、また着色領域３４が水平径方向線４２および直交経線４４と交差する４箇所に着色領域３４と色調の異なる模様部５６が設けられているものである。模様部５６は、それぞれ正三角形状を有しており、底辺が水平経方向線２２と平行に延びて、且つ頂点が装用状態で上方（図３中上側）に向くように設けられている。このように本実施形態においては、着色領域３４の外形形状は回転対称形であるものの、そこに含まれる模様部５６が非回転対称形状に構成されていることにより、着色領域３４の全体として、非回転対称形状とされているものである。
【００３２】
さらに色付コンタクトレンズ５４は、レンズ全体形状において、従来から公知の所謂プリズムバラスト形状を呈している。即ち、プリズムバラスト型の色付コンタクトレンズ５４は、レンズ幾何中心２０を通って装用状態で左右方向に延びる水平径方向線４２を挟んだ一方の側よりも他方の側の周縁部２４が厚肉にされており、直交経線４４が延びる方向（図３中上下方向）において、下方に行くに従って連続的にレンズ厚さが厚くなるように構成されている。これにより色付コンタクトレンズ５４の装用中におけるレンズ幾何中心周りの周方向位置を位置決めする位置決め手段が構成されて、装用時の色付コンタクトレンズ５４の回転防止が有効に防止されるようになっている。それ故、着色領域３４が装用者の角膜１４の所望の向きからずれしてしまう不具合を低減乃至は回避して、着色領域３４を所望の向き（図３に示す正規位置）に位置決めして安定させることが出来る。
【００３３】
また、このような構成の色付コンタクトレンズ５４は、そのレンズ下部が厚くなり過ぎ、装用感を悪化せしめるところから、レンズ前面１６の少なくとも下部を切除して、スラブオフ領域５８を形成せしめ、それによって、例えば球面形状、円錐形状、非球面形状等のスラブオフ面６０がレンズ前面１６の少なくとも下部に形成されて、装用感が向上せしめられるようになっている。
【００３４】
本実施形態においても着色領域３４は、装用者の角膜１４と強膜３０の両方に跨ってそれらの境界線３２上を全周に亘って略一定の幅寸法で延びており、角膜１４の外径を大きく且つ外縁をはっきりと強調するコスメティック（美容）効果を与える。また、本実施形態のプリズムバラスト型の色付コンタクトレンズ５４では、所望の向き（図３に示す正規位置）に位置決めして安定させることが出来るので、非回転対称形状の着色領域３４が利用可能となり、本実施形態において設けられた模様部５６は、明確なパターンとして認識出来ると共に装飾としても機能させることが出来るようになる。
【００３５】
図４に示すように、本発明の第二の実施形態の変形例としての色付コンタクトレンズ６２は、前記実施形態における色付コンタクトレンズ５４の着色領域３４の形状が異ならされたものである。具体的には、装用状態で境界線３２上に重ね合される領域であって、水平径方向線４２および直交経線４４と交差する４箇所に、模様部５６と同形状の模様部６４を形成することで、着色領域３４を構成するものである。なお、模様部６４は色付コンタクトレンズ５４の模様部５６よりも明度の低い色彩で構成されている。このように本実施形態においても、模様部６４から構成される着色領域３４は、非回転対称形状とされている。
【００３６】
本実施形態のプリズムバラスト型の色付コンタクトレンズ６２においても、周方向位置決め手段により装用時の色付コンタクトレンズ６２をレンズ幾何中心２０周りの所定の周方向位置（図４に示す正規位置）に位置決めして安定させることが出来る。それ故、非回転対称形状の着色領域３４が利用可能となり、従来の回転対称形状の着色領域では得られない斬新なコスメティック効果を安定して発揮させることが出来る。
【００３７】
図５に示すように、本発明の第三の実施形態の色付コンタクトレンズ６６は、第一の実施形態における色付コンタクトレンズ１０の着色領域３４の形状が異ならされたものである。具体的には、着色領域３４の内周縁部３６および外周縁部３８が三つ葉のクローバー形状とされており、一定幅の三つ葉のクローバー型のリング模様が光学部１８を囲うように形成されている。なお、三つ葉のクローバーの軸部分が直交経線４４の下方側（図５中下側）に位置されており、本実施形態においても、着色領域３４は非回転対称形状とされている。
【００３８】
本実施形態においても、三つ葉のクローバー形状の着色領域３４は、装用者の角膜１４と強膜３０の両方に跨ってそれらの境界線３２上を全周に亘って略一定の幅寸法で蛇行および屈曲しつつ延びており、角膜１４の外径を従来にない形状で強調するコスメティック（美容）効果を与える。また、プリズムバラスト型の周方向位置決め手段により、装用時の色付コンタクトレンズ６６の回転が防止されて、非回転対称形状の着色領域３４を所望の向きで安定して表示させることができ、所望の装飾機能が発揮できる。
【００３９】
図６に示すように、本発明の第三の実施形態の変形例としての色付コンタクトレンズ６８は、前記実施形態における色付コンタクトレンズ６６の着色領域３４の形状が異ならされたものである。具体的には、着色領域３４の内周縁部３６が三つ葉のクローバー形状とされていると共に外周縁部３８がエッジ部２６と同じとされており、内周縁部３６から外周縁部３８に亘る領域が任意の色彩により着色されているものである。このように本実施形態においても、着色領域３４が非回転対称とされている。
【００４０】
本実施形態における着色領域３４は、装用者の角膜１４の周囲を全周に亘って従来にない形状で着色するものであり、斬新なコスメティック（美容）効果を与えるものである。また、本実施形態においても同様に、プリズムバラストによる周方向位置決め手段によって、装用状態の色付コンタクトレンズ６８が、所望の周方向位置（図６に示す正規位置）に位置決めして安定させることが出来るので、非回転対称形状の着色領域３４が利用可能となり、着色領域３４は所望の方向性で装用者の眼を装飾することが出来る。
【００４１】
以上、本発明の実施形態について詳述してきたが、これはあくまでも例示であって、本発明はかかる実施形態における具体的な記載によって、何等、限定的に解釈されるものでなく、当業者の知識に基づいて種々なる改良，修正等を加えた態様において実施され得るものであり、また、一々列挙しないが、そのような実施態様が本発明の趣旨を逸脱しない限り、何れも、本発明の範囲内に含まれるものであることは言うまでもない。
【００４２】
例えば、前述の実施形態においては、着色領域３４が装用者の角膜１４と強膜３０の両方に跨ってそれらの境界線３２上を延びている例について示したが、これに限定されず、着色領域３４が装用者の角膜１４上や強膜３０上だけに設けられたものも、本発明に含まれることは勿論である。
【００４３】
また、本発明の色付コンタクトレンズに採用される位置決め手段は、コンタクトレンズの周方向の位置決めを為し得るものであれば、何れも採用可能であり、例示の実施形態に記載したスラブオフやプリズムバラスト等の他、従来から公知の任意の位置決め手段が採用可能である。
【００４４】
加えて、着色領域３４の形状は、例示のものに限定されず、所望のパターンおよび／又は所望のコスメティック効果に応じて、適宜変更可能である。すなわち、アルファベットや数字や絵文字などの非回転形状のデザインを、装用される眼球１２の瞳孔上に位置する中央領域を外れた外周部分に設けた着色領域３４において任意の形状が任意の色調で形成可能である。
【符号の説明】
【００４５】
１０，５４：色付コンタクトレンズ、１２：眼球、１４：角膜、１８：光学部、２０：レンズ幾何中心、２４：周縁部、３０：強膜、３２：境界線、３４：着色領域、４０：瞳孔、４２：水平径方向線、４４：直交経線、４６：スラブオフ領域
【図１】
2013140315.tif 000003
【図２】
2013140315.tif 000004
【図３】
2013140315.tif 000005
【図４】
2013140315.tif 000006
【図５】
2013140315.tif 000007
【図６】
2013140315.tif 000008